(57)【要約】【課題】商品選択ボタンおよび商品見本と商品表示テープのずれに起因して、利用者が商品を誤って選択することを回避できる自動販売機の商品表示装置を提供すること。【解決手段】駆動プーリ２０と従動プーリとに巻回した無端状の商品表示テープを備え、駆動時に駆動源を介して駆動プーリ２０を回転させることにより商品表示テープを周回させて、商品情報表示を切り換える自動販売機の商品表示装置において、駆動源の停止時に商品表示テープを周回方向にのみ周回を許容するワンウェイクラッチ７２を駆動機構２２の出力軸７１と駆動プーリ２０との間に介在させるようにした。【選択図】      図９
2004234489.tif 000002
【特許請求の範囲】
【請求項１】
駆動プーリと従動プーリとに巻回した商品表示テープを備え、
駆動時に駆動源を介して前記駆動プーリを回転させることにより前記商品表示テープを周回させて、商品情報表示を切り換える自動販売機の商品表示装置において、
前記駆動源の停止時に商品表示テープの周回を許容する周回許容手段を備えたことを特徴とする自動販売機の商品表示装置。
【請求項２】
前記周回許容手段が前記駆動プーリの回転を前記商品表示テープの周回方向にのみ許容する回転許容手段により構成してあることを特徴とする請求項１に記載の自動販売機の商品表示装置。
【請求項３】
前記周回許容手段が前記駆動プーリへの動力伝達系を遮断して前記商品表示テープの周回を許容する動力遮断手段により構成してあることを特徴とする請求項１に記載の自動販売機の商品表示装置。
【請求項４】
前記周回許容手段が前記駆動プーリと前記従動プーリとの間隔を縮めて前記駆動プーリから前記商品表示テープを着脱可能とする間隔収縮手段により構成してあることを特徴とする請求項１に記載の自動販売機の商品表示装置。
【請求項５】
前記周回許容手段が駆動プーリの駆動時に駆動プーリと商品表示テープとが係合して商品表示テープを周回させ、駆動プーリの停止時に商品表示テープを周回させると駆動プーリと商品表示テープとの係合を解除する係合手段により構成してあることを特徴とする請求項１に記載の自動販売機の商品表示装置。
【発明の詳細な説明】
【０００１】
【発明の属する技術分野】
本発明は、自動販売機の商品表示装置に関するものであり、たとえば、温蔵商品と冷蔵商品とを販売する自動販売機の商品表示装置に関するものである。
【０００２】
【従来の技術】
温蔵商品と冷蔵商品とを販売する自動販売機が一般に知られている。かかる自動販売機によれば、たとえばコーヒーのように同種の商品であっても、温蔵商品と冷蔵商品とを区別して販売されている。利用者が温蔵商品と冷蔵商品とを間違うことなく購入できるように、商品の種類と、温蔵商品であるか冷蔵商品であるかを一見してわかるように表示しなければならない。このため、自動販売機の展示室に、商品選択ボタンと関連づけた商品見本のほかに、温蔵商品であるか冷蔵商品であるかを区別する商品表示装置を配設してある。
【０００３】
商品表示装置は、商品選択ボタンと、商品選択ボタンと平行に配設され、かつ、商品選択ボタンと関連づけられた商品見本との間に、温蔵商品であるか冷蔵商品であるかを表示する無端状の商品表示テープを配設し、商品表示テープを周回させることにより商品が温蔵商品であるか冷蔵商品であるかの表示を切り換えるものが知られている（特許文献１参照）。
【０００４】
また、商品選択ボタンと、商品選択ボタンと関連づけられた商品見本との間に、商品が温蔵商品であるか冷蔵商品であるかを表示する表示テープを駆動プーリと従動プーリとに巻き付けて配設し、商品表示テープをモータなどの駆動手段により巻き取って、商品が温蔵商品であるか冷蔵商品であるかの表示を切り換えるものも知られている（特許文献２参照）。
【０００５】
【特許文献１】
実開平２−２３７８号公報
【特許文献２】
特開平６−１０３４４８号公報
【０００６】
【発明が解決しようとする課題】
ところで、上述したように、商品選択ボタンと関連づけた商品見本との間に商品表示テープを配設し、商品表示テープをモータなどの駆動手段により周回させて商品が温蔵商品である旨の表示（以下、温蔵商品表示という。）と商品が冷蔵商品である旨の表示（以下、冷蔵商品表示という。）とを切り換えると、商品選択ボタンおよび商品見本と商品表示テープの商品表示とにずれが生じる場合が起こりうる。かかる場合に、利用者は、商品選択ボタンおよび商品見本と、商品表示とのずれに起因して商品が温蔵商品であるか冷蔵商品であるか判別できなくなる。
【０００７】
また、モータなどの駆動源が故障した場合には、商品表示テープを周回させることができなくなるため、温蔵商品表示と冷蔵商品表示との切り換えができなくなる。
【０００８】
本発明は、上記実情に鑑みて、商品選択ボタンおよび商品見本と商品表示テープのずれに起因して、利用者が商品を誤って選択することを回避できる自動販売機の商品表示装置を提供することを目的とする。
【０００９】
【課題を解決するための手段】
上記の目的を達成するために、本発明の請求項１に係る自動販売機の商品表示装置は、駆動プーリと従動プーリとに巻回した商品表示テープを備え、駆動時に駆動源を介して前記駆動プーリを回転させることにより前記商品表示テープを周回させて、商品表示を切り換える自動販売機の商品表示装置において、前記駆動源の停止時に商品表示テープの周回を許容する周回許容手段を備えたことを特徴とする。
【００１０】
また、本発明の請求項２に係る自動販売機の商品表示装置は、上記請求項１において、前記周回許容手段が前記駆動プーリの回転を前記商品表示テープの周回方向にのみ許容する回転許容手段により構成してあることを特徴とする。
【００１１】
また、本発明の請求項３に係る自動販売機の商品表示装置は、上記請求項１において、前記周回許容手段が前記駆動プーリへの動力伝達系を遮断して前記商品表示テープの周回を許容する動力遮断手段により構成してあることを特徴とする。
【００１２】
また、本発明の請求項４に係る自動販売機の商品表示装置は、上記請求項１において、前記周回許容手段が前記駆動プーリと前記従動プーリとの間隔を縮めて前記駆動プーリから前記商品表示テープを着脱可能にする間隔収縮手段により構成してあることを特徴とする。
【００１３】
また、本発明の請求項５に係る自動販売機の商品表示装置は、上記請求項１において、前記周回許容手段が駆動プーリの駆動時に駆動プーリと商品表示テープとが係合して商品表示テープを周回させ、駆動プーリの停止時に商品表示テープを周回させると駆動プーリと商品表示テープとの係合を解除する係合手段により構成してあることを特徴とする。
【００１４】
【発明の実施の形態】
以下に添付図面を参照して、本発明に係る自動販売機の商品表示装置の好適な実施の形態を詳細に説明する。なお、図１は本発明の実施の形態に係る商品表示装置を適用した自動販売機の斜視図、図２は図１に示した商品表示装置であって、（ａ）は平面図，（ｂ）は正面図、図３は図２のＩＩＩ−ＩＩＩ断面図、図４は図２に示した駆動ユニットの説明図であって、（ａ）は平面図，（ｂ）は正面図，（ｃ）は左側面図、図５は図２に示した従動ユニットの説明図であって、（ａ）は平面図，（ｂ）は正面図，（ｃ）は右側面図、図６は図２に示した本発明の商品表示テープの概念図、図７は自動販売機の商品表示装置のブロック図である。
【００１５】
図１に示すように、本発明に係る自動販売機の商品表示装置を適用する自動販売機１は、本体キャビネット２と、本体キャビネット２に設けた商品収容室の前面開口部を覆う内扉３と、内扉３の外方において本体キャビネット２の前面開口部を覆う外扉４とを備えている。
【００１６】
本体キャビネット２に設けた商品収容室は、仕切壁により三つの商品収容室に画成され、各商品収容室の上方域に、缶商品，壜商品，ペットボトル商品などの商品を収納した商品ラックを収設する一方、各商品収納室の下方域に冷却／加熱ユニットを配設してある。
【００１７】
外扉４には、前面に硬貨投入口（図示せず），紙幣挿入口（図示せず），返却レバー（図示せず），返却口（図示せず），商品取出口５を配設する一方、上部域に展示室６を形成してある。展示室６は、外扉４の後方側に開閉可能に取り付けた中扉７と、外扉４の前面側にはめ込んだ透明板９により構成され、利用者が自動販売機１の前面側から展示室６内部を透視できるようになっている。
【００１８】
外扉４の前面側にはめ込んだ透明板９には、商品選択ボタン１０が配設してある。商品選択ボタン１０は各商品ラックと対応しており、商品選択ボタン１０を押下すると商品選択ボタン１０と対応する商品ラックから商品を搬出する。
【００１９】
展示室６を構成する中扉７の上方域は商品展示部８ａとして使用され、下方域は広告部８ｂとして使用される。商品展示部８ａには、本発明の実施の形態に係る自動販売機１の商品表示装置１１が上下方向に三段並べて配設してあり、広告部８ｂには、商品を広告するポスターなどが展示してある。
【００２０】
商品表示装置１１は、たとえば、商品情報を表示するものであって、より具体的には、展示した商品（商品見本１２）が冷蔵商品であるか、温蔵商品であるかの情報を表示するものである。図２に示すように、商品表示装置１１は、商品見本１２を取り付けた商品展示台１３と、商品展示台１３の回りを周回する商品表示テープ１４とを備えている。商品展示台１３は商品を展示するものであり、商品表示テープ１４は展示した商品の商品情報を表示するものである。商品展示台１３に商品見本１２を取り付けて、商品表示テープ１４が商品ごとにその商品の商品情報、すなわち、温蔵状態または冷蔵状態、を表示する。
【００２１】
商品展示台１３は、下面を開放した断面コの字状の横長の箱形に形成してある。商品展示台１３は、その背面を切り起こして形成した係止片１３ａによって中扉７に取り付けてある。
【００２２】
商品展示台１３の上面には商品見本取付孔１３ｂが形成してあり、商品見本取付孔１３ｂには、たとえば１２個の商品見本１２が着脱可能に取り付けてある。
商品見本１２は、商品選択ボタン１０と対応しており、商品選択ボタン１０と対応する商品ラックに収納した商品の見本を展示したものである。
【００２３】
商品展示台１３の前面には商品見本１２ごとに矩形の表示窓１３ｃが形成してある。たとえば、商品展示台１３に１２個の商品見本１２を取り付ける場合には、１２個の表示窓１３ｃが形成してある。また、商品展示台１３の後方内側面には左右で一対をなして蛍光灯１５を取り付けるＬ字状の蛍光灯取付金具（図示せず）が取り付けてある。蛍光灯取付金具（図示せず）は蛍光灯１５を取り付けるソケット（図示せず）を備え、ソケット（図示せず）には蛍光灯１５が装着してある。
【００２４】
また、商品展示台１３の前面には断面Ｌ字状に折り曲げて商品表示テープ１４が周回する商品表示ガイド１３ｄを形成する一方、商品展示台１３の後方内側面には商品表示テープ１４を案内する断面鍵状のテープガイド１６を取り付けてある。
【００２５】
図２に示すように、商品展示台１３の左端には商品表示テープ１４を周回させる駆動プーリ２０を備えた駆動ユニット２１が取り付けてあり、商品展示台１３の右端には商品表示テープ１４を巻回する従動プーリ４０を備えた従動ユニット４１が取り付けてある。
【００２６】
図４に示すように、駆動ユニット２１は、駆動機構２２と、ケース２３と、カバー２４とを有している。駆動機構２２は駆動プーリ２０を回転させるためのもので、モータ２５と、モータ２５から駆動プーリ２０に動力を伝達する歯車列２６とを備えている。ケース２３は駆動機構２２のうち、駆動プーリ２０とモータ２５とを収納して商品展示台１３に取り付けるものである。ケース２３の上面には商品表示テープ１４の基準位置を検出する基準位置検出スイッチ２７が取り付けてあり、ケース２３の下面には駆動プーリ２０の一回転を検出する回転検出スイッチ２８が取り付けてある。駆動プーリ２０の上面はカバー２４によって覆ってある。ケース２３とカバー２４との間には商品表示テープ１４を案内する二つのガイドローラ２９が回転自在に取り付けてある。
【００２７】
駆動プーリ２０の下方域の外周には８個のツメ２０ａが形成してある。このツメ２０ａは駆動プーリ２０の外周に等間隔に形成してあり、その形状は円錐台状であって、商品表示テープ１４を確実に周回させることができる。また、駆動プーリ２０と一体に形成した軸には突起２０ｂが形成してあり、ケース２３に取り付けた回転検出スイッチ２８が駆動プーリ２０の回転を検出できる。
【００２８】
図５に示すように、従動ユニット４１は、ベース４２と、従動プーリ４０と、プーリガイド４３と、プーリピン４４と、バネ４５とから構成してある。ベース４２は従動ユニット４１を商品展示台１３に取り付けるもので略コの字状に形成し、その下面と上面には左右方向に延在する長孔４２ａが形成してある。ベース４２のコの字状に形成した凹部には従動プーリ４０を配設する一方、上面と下面にはプーリガイド４３が配設してある。そして、プーリガイド４３、ベース４２の長孔４２ａ、従動プーリ４０、ベース４２の長孔４２ａ、プーリガイド４３の順にプーリピン４４を貫通して、従動プーリ４０を回転自在に支承する。したがって、従動プーリ４０は上下のプーリガイド４３と一体に左右方向に摺動する。
また、ベース４２とプーリガイド４３との間にバネ４５を張架して、プーリガイド４３を右方向に付勢してある。このため、プーリガイド４３を貫通するプーリピン４４に支承した従動プーリ４０は右方向に付勢される。
【００２９】
駆動プーリ２０、テープガイド１６、一対の従動プーリ４０、商品表示ガイド１３ｄ、二つのガイドローラ２９の順に商品表示テープ１４が巻回してある。なお、従動プーリ４０は必ずしも一対である必要はなく、一つの従動プーリ４０であってもよい。また、ガイドローラ２９は必ずしも配設しなくてよく、駆動プーリ２０と従動プーリ４０との間に商品表示テープ１４を巻回したものであればよい。
【００３０】
商品表示テープ１４は、無端であって、光を透過するプラスチックフィルムによって作成してある。商品表示テープ１４の略半周にわたり表示窓１３ｃごとに一の商品情報表示（商品の状態情報表示）を印刷し、残りの略半周にわたり表示窓１３ｃごとに他の商品情報表示（商品の状態情報表示）を印刷してある。ここで、一つの表示窓１３ｃに対応する商品表示テープ１４の一つの領域は駆動プーリ２０の周長と同一に設定してある。このため、駆動プーリ２０を一回転させると商品表示テープ１４が表示窓１３ｃに対して商品表示テープ１４が一領域分周回する。
【００３１】
たとえば、商品展示台１３に１２個の商品見本１２を取り付ける場合には、２７領域に商品情報表示が印刷してある。そして、このうち１４領域には冷蔵商品である旨の表示、すなわち「つめた〜い」が連続して印刷してあり、残りの１３領域には温蔵商品である旨の表示、すなわち「あったか〜い」が連続して印刷してある。なお、これらの文字は商品の状態を強調するべく、商品が温蔵状態の場合には背景色を暖色（赤色）にして「あったか〜い」の文字を白抜きにし、商品が冷蔵状態の場合には背景色を寒色（青色）にして「つめた〜い」の文字を白抜きにすることが好ましい。また、温蔵状態を示す「あったか〜い」の文字の代わりに「ＨＯＴ」の文字を、冷蔵状態を示す「つめた〜い」の文字の代わり「ＣＯＬＤ」の文字を印刷してもよい。
【００３２】
また、商品表示テープ１４の周方向には駆動プーリ２０のツメ２０ａと噛み合う噛合孔１４ａが全周にわたって形成してある。そして、商品表示テープ１４の周方向において基準位置となる部分は、噛合孔１４ａと噛合孔１４ａとをつないで長孔とした基準位置検出孔１４ｂを形成してある。そして、すべての表示窓１３ｃに「つめた〜い」の文字を印刷した領域があるときに基準位置検出スイッチ２７が基準位置検出孔１４ｂを検出する。このとき、回転検出スイッチ２８が駆動プーリ２０の突起２０ｂを検出する。
【００３３】
商品表示テープ１４の略半周にわたって表示窓１３ｃごとに一の商品情報表示（商品の状態情報表示）が連続して印刷してあり、残りの略半周にわたって表示窓１３ｃごとに他の商品情報表示（商品の状態情報表示）が連続して印刷してあるので、たとえば、商品展示台１３に取り付けた商品（商品見本１２）のすべてが冷蔵商品である旨、すなわち、「つめた〜い」の表示ができる一方、商品展示台１３に取り付けた商品（商品見本１２）のすべてが温蔵商品である旨、すなわち「あったか〜い」の商品表示ができる。また、商品展示台１３の左側の商品（商品見本１２）が冷蔵商品であって、商品展示台１３の右側の商品（商品見本１２）が温蔵商品である旨の商品情報表示を切り分けて表示することもできる。また、冷蔵商品と温蔵商品との切り分け比率は任意に設定できる。
【００３４】
商品表示ガイド１３ｄには、透明な商品表示パネル１７を載置してある。商品表示パネル１７の後面側には商品選択ボタン１０に対応した商品価格が表示窓１３ｃに対応する領域ごとに印刷してある。
【００３５】
以上説明した、モータ２５と、回転検出スイッチ２８と、基準位置検出スイッチ２７とは、商品表示装置１１の制御部６０に接続してある。そして、この制御部６０はさらに、自動販売機１の主制御部６１に接続してある。自動販売機１の主制御部６１には、商品表示装置１１の制御部６０のほか、各商品収容室の加熱／冷却ユニット、冷温販売モード設定スイッチが接続してあり、冷温販売モード設定スイッチを操作することにより、各商品収容室の加熱／冷却ユニットの運転を切り換えることができる。また、自動販売機１の主制御部６１は外部のリモートコントロールの操作により各商品収容室の加熱／冷却ユニットの運転を切り換えることもできる。すなわち、冷温販売モード信号が「冷却」の場合には冷却ユニットが稼働し、冷温販売モード信号が「加熱」の場合には加熱ユニットが稼働する。
【００３６】
この自動販売機１の商品表示装置１１によれば、表示窓１３ｃ枠内に商品表示テープ１４の商品の状態を示す領域と商品表示パネル１７の商品価格を示す領域が位置し、これらは蛍光灯１５により背照されるので、自動販売機１の前方から、商品（商品見本１２）、商品情報（商品状態情報）、商品の価格と関連づけて商品選択ボタン１０を視認できる。
【００３７】
つぎに、本発明の実施の形態に係る自動販売機の商品表示装置の作用を図８に基づいて説明する。なお、図８は自動販売機の商品表示装置の作用を示すフローチャートである。
【００３８】
自動販売機１の各商品収容室に収納する商品を冷蔵商品から温蔵商品に切り換える場合、あるいは温蔵商品から冷蔵商品に切り換える場合には、加熱／冷却ユニットの運転の切り換えのほかに、自動販売機１の商品表示装置１１の商品情報表示も切り換えなければならない。
【００３９】
冷温販売モード設定スイッチ、あるいはリモートコントロールを操作することにより設定信号が入力、すなわち、いずれか一つ以上の商品収容室の加熱／冷却ユニットの運転を切り換えると（ステップＳ１）、自動販売機１の主制御部６１は、商品収容室の加熱／冷却状態に基づいて、各商品選択ボタン１０に割り付けられた商品が冷蔵商品か、温蔵商品であるか判別する（ステップＳ２）。この判別結果にもとづいて、商品表示テープ１４の送り量を算出し、その算出結果を自動販売機１の主制御部６１から商品表示装置１１の制御部６０に伝達する。商品表示装置１１の制御部６０は商品表示テープ１４の送り量に基づいて基準位置検出孔１４ｂを検出した後に駆動プーリ２０が回転すべき回転数を求める（ステップＳ３）。なお、商品表示テープ１４の一つの商品表示領域は、駆動プーリ２０の周長と同一であるので、商品表示テープ１４の送り量（商品表示領域数）と駆動プーリ２０の回転数は同一に求められる。
【００４０】
商品表示装置１１の制御部６０は、次に、基準位置検出スイッチ２７が商品表示テープ１４の基準位置検出孔１４ｂを検出するまでモータ２５を駆動する（ステップＳ４）。基準位置検出スイッチ２７が商品表示テープ１４の基準位置検出孔１４ｂを検出する（ステップＳ５：ＹＥＳ）と商品表示装置１１の制御部６０は、一旦、モータ２５を停止する（ステップＳ６）。その後、商品表示装置１１の制御部６０は、算出した商品表示テープ１４の送り量を検出するまで、すなわち、求めた駆動プーリ２０の回転数を検出するまで、モータ２５を駆動する（ステップＳ７）。商品表示テープ１４が算出した送り量、すなわち、求めた駆動プーリ２０の回転数、を検出すると（ステップＳ８：ＹＥＳ）、モータ２５を停止して商品表示装置１１の制御部６０から自動販売機１の主制御部６１に商品情報表示の切り換えが完了した旨を通知して商品情報表示の切り換えが終了する（ステップＳ９）。
【００４１】
この自動販売機１の商品表示装置１１によれば、商品表示テープ１４を周回させることにより、商品（商品見本１２）、商品の価格、商品選択ボタン１０に対して商品情報表示（商品の状態情報）を切り換えることができる。
【００４２】
次に本実施の形態に係る自動販売機１の商品表示装置１１において、駆動停止時に商品表示テープ１４の周回を許容する周回許容手段の例を詳細に説明する。
なお、図９は形態１に係る周回許容手段を説明する図、図１０は形態２に係る周回許容手段を説明する図、図１１は形態３に係る周回許容手段を説明する図、図１２は形態４に係る周回許容手段を説明する図である。
【００４３】
（形態１に係る周回許容手段）
形態１に係る周回許容手段は、駆動プーリ２０の回転を商品表示テープ１４の周回方向にのみ許容する回転許容手段により構成してある。具体的には、駆動機構２２の出力軸７１と駆動プーリ２０との間に、商品表示テープ１４の周回方向（図９において矢印方向）にのみ駆動プーリ２０の回転を許容するワンウェイクラッチ７２を介在させてある。ワンウェイクラッチ７２のインナーレースは、駆動機構２２の出力軸７１に嵌入してあり、ワンウェイクラッチ７２のアウターレースは、駆動プーリ２０に圧入してある。
【００４４】
したがって、駆動機構２２の出力軸７１が図９において矢印方向に回転すると駆動プーリ２０も同一方向（図９において矢印方向）に回転する一方、駆動機構２２の出力軸７１が停止しても駆動プーリ２０は図９において矢印方向に回転する。
【００４５】
形態１に係る周回許容手段によれば、周回許容手段が駆動源の停止時に商品表示テープ１４の周回を許容する。すなわち、モータ２５を停止して駆動機構２２の出力軸７１が停止しても、駆動プーリ２０を図９において矢印方向に回転させることにより、商品表示テープ１４を周回させて、商品見本１２と商品表示テープ１４のずれを修正できる。また、駆動プーリ２０を回転させるモータ２５等の駆動手段が故障した場合であっても、駆動プーリ２０を図９において矢印方向に回転させることにより、商品表示テープ１４を周回させることができるので、商品見本１２と商品表示テープ１４のずれを修正できる。この結果、商品選択ボタン１０および商品見本１２と商品表示テープ１４のずれに起因して、利用者が商品を誤って選択することを回避できる。
【００４６】
（形態２に係る周回許容手段）
形態２に係る周回許容手段は、駆動源の停止時に駆動プーリ２０への動力伝達系を遮断して商品表示テープ１４の周回を許容する動力遮断手段により構成してある。動力遮断手段は、モータ２５から駆動プーリ２０へ動力を伝達する歯車列２６の一の歯車を歯車軸の軸方向に摺動可能にすることにより構成する。たとえば、図１０に示すように、歯車列２６をモータ２５の出力軸２５ａに固着したモータ歯車８１と、モータ歯車８１に噛み合う第１遊歯車８２と、第１遊歯車８２と噛み合う第２遊歯車８３と、第２遊歯車８３と噛み合う第３遊歯車８４と、第３遊歯車８４と噛み合うとともに駆動機構２２の出力軸７１に取り付けた駆動歯車８５の五つの歯車で歯車列２６を構成し、これらの歯車のうち第２遊歯車８３を歯車軸の軸方向に摺動することにより第１遊歯車８２から第３遊歯車８４への動力伝達系を遮断する。一方、第２遊歯車８３は通電時において、第１遊歯車８２と第３遊歯車８３とに噛み合うように、歯車軸の軸方向にバネ８６で付勢しておくことが好ましい。
【００４７】
形態２に係る周回許容手段は、駆動プーリ２０への動力伝達系を遮断して商品表示テープ１４の周回を許容する動力遮断手段により構成してあるので、モータ２５から駆動プーリ２０への動力伝達系を遮断した後、駆動プーリ２０を回転させることにより商品表示テープ１４を周回させて、商品見本１２と商品表示テープ１４のずれを修正できる。また、駆動プーリ２０を回転させるモータ２５等の駆動手段が故障した場合であっても、動力遮断手段がモータ２５から駆動プーリ２０への動力伝達を遮断して商品表示テープ１４の周回を許容するので、商品見本１２と商品表示テープ１４のずれを修正できる。このため、商品選択ボタン１０および商品見本１２と商品表示テープ１４のずれに起因して、利用者が商品を誤って選択することを回避できる。
【００４８】
動力遮断手段は、第２遊歯車８３を歯車軸の軸方向に摺動することにより動力伝達系を遮断するものとしたが、第２遊歯車８３に限らず、歯車列２６のいずれか一つの歯車を歯車軸の軸方向に摺動することにより、モータ２５から駆動プーリ２０への動力伝達系を遮断するものであってもよい。また、動力遮断手段は、歯車列２６を構成する歯車のいずれか一つを径方向に回動させて、モータ２５から駆動プーリ２０への動力伝達系を遮断するものとしてもよい。
【００４９】
（形態３に係る周回許容手段）
形態３に係る周回許容手段は、駆動プーリ２０と従動プーリ４０との間隔を縮めて、駆動プーリ２０から商品表示テープ１４を着脱可能にする間隔収縮手段により構成してある。間隔収縮手段は、図１１に示すように、ベース４２に形成した長孔４２ａの左端にプーリピン４４を係止する係止部４２ａ´を形成することに構成される。すなわち、バネ４５の付勢力に抗して係止部４２ａ´にプーリピン４４を係止すると、駆動プーリ２０とプーリピン４４に支承した従動プーリ４０との間隔が縮まり、商品表示テープ１４がたるみ、その商品表示テープ１４のたるみを利用して、駆動プーリ２０から商品表示テープ１４を着脱すれば商品表示テープ１４を周回させることができる。
【００５０】
形態３に係る周回許容手段によれば、駆動プーリ２０と従動プーリ４０との間隔を縮めて、駆動プーリ２０から商品表示テープ１４を着脱可能にする間隔収縮手段により構成してあるので、駆動プーリ２０と従動プーリ４０との間隔を縮めて商品表示テープ１４を着脱し、商品表示テープ１４のみを周回させて商品見本１２と商品表示テープ１４のずれを修正できる。また、駆動プーリ２０を回転させるモータ２５等の駆動手段が故障した場合であっても、駆動プーリ２０から商品表示テープ１４を着脱して商品表示テープ１４のみを周回させて商品見本１２と商品表示テープ１４のずれを修正できる。このため、商品選択ボタン１０および商品見本１２と商品表示テープ１４のずれに起因して、利用者が商品を誤って選択することを回避できる。
【００５１】
（形態４に係る周回許容手段）
形態４に係る周回許容手段は、図１２に示すように、駆動プーリ２０´の駆動時に駆動プーリ２０´と商品表示テープ１４とが係合して商品表示テープ１４を周回させ、駆動プーリ２０´の停止時に商品表示テープ１４を周回させると駆動プーリ２０´と商品表示テープ１４との係合を解除する係合手段により構成してある。係合手段は、駆動プーリ２０´に形成した鋸刃状のツメ２０ａ´と商品表示テープ１４の噛合孔１４ａとにより構成され、駆動プーリ２０´の停止時に商品表示テープ１４を周回させると駆動プーリ２０´と商品表示テープ１４との係合を解除する。鋸刃状のツメ２０ａ´は商品表示テープ１４を周回方向に周回可能とする斜辺部分と、商品表示テープ１４の噛合孔１４ａと係合する直立部分とからなり、駆動プーリ２０´の駆動時にツメ２０ａ´の直立部分と噛合孔１４ａとが係合することにより、駆動プーリ２０´が商品表示テープ１４を確実に周回させる一方、駆動プーリ２０´の停止時にツメ２０ａ´の斜辺部分を商品表示テープ１４が乗り越えて商品表示テープ１４のみを周回させることができる。
【００５２】
形態４に係る周回許容手段によれば、駆動プーリ２０´に鋸刃状のツメ２０ａ´を形成して、駆動プーリ２０´の停止時に商品表示テープ１４を周回させると駆動プーリ２０´と商品表示テープ１４との係合を解除する。したがって、駆動プーリ２０´の停止時に商品表示テープ１４は駆動プーリ２０´のツメ２０ａ´の斜辺部分を乗り越えて、商品表示テープ１４を周回方向に周回させることができる。このため、駆動プーリ２０´に対して商品表示テープ１４を周回させて商品見本１２と商品表示テープ１４のずれを修正できる。また、駆動プーリ２０´を回転させるモータ２５等の駆動手段が故障した場合であっても、駆動プーリ２０´に対して商品表示テープ１４を周回させることができるので、商品見本１２と商品表示テープ１４のずれを修正できる。このため、商品選択ボタン１０および商品見本１２と商品表示テープ１４のずれに起因して、利用者が商品を誤って選択することを回避できる。
【００５３】
【発明の効果】
以上説明したように、本発明の請求項１に係る自動販売機の商品表示装置によれば、周回許容手段が駆動源の停止時に商品表示テープの周回を許容するので、商品表示テープを周回させて、商品見本と商品表示テープのずれを修正できる。
また、駆動プーリを回転させるモータ等の駆動源が故障した場合であっても、商品表示テープを周回させることができるので、商品見本と商品表示テープのずれを修正できる。この結果、商品選択ボタンおよび商品見本と商品表示テープのずれに起因して、利用者が商品を誤って選択することを回避できる。
【００５４】
また、本発明の請求項２に係る自動販売機の商品表示装置によれば、周回許容手段が駆動プーリの回転を商品表示テープの周回方向にのみ許容する回転許容手段により構成してあるので、商品表示テープを周回方向に周回させて商品見本と商品表示テープのずれを修正できる。
【００５５】
また、本発明の請求項３に係る自動販売機の商品表示装置によれば、周回許容手段が駆動プーリへの動力伝達系を遮断して商品表示テープの周回を許容する動力遮断手段により構成してあるので、駆動プーリへの動力伝達系を遮断して商品表示テープを周回させて商品見本と商品表示テープのずれを修正できる。
【００５６】
また、本発明の請求項４に係る自動販売機の商品表示装置によれば、周回許容手段が駆動プーリと従動プーリとの間隔を縮めて駆動プーリから商品表示テープを着脱可能にする間隔収縮手段により構成してあるので、駆動プーリと従動プーリとの間隔を縮めて商品表示テープを着脱し、商品表示テープのみを周回させて商品見本と商品表示テープのずれを修正できる。
【００５７】
また、本発明の請求項５に係る自動販売機の商品表示装置によれば、周回許容手段が駆動プーリの駆動時に駆動プーリと商品表示テープとが係合して商品表示テープを周回させ、駆動プーリの停止時に商品表示テープを周回させると駆動プーリと商品表示テープとの係合を解除する係合手段により構成してあるので、駆動プーリの停止時に駆動プーリと商品表示テープとの係合を解除して商品表示テープのみを周回させて商品見本と商品表示テープのずれを修正できる。
【図面の簡単な説明】
【図１】本発明の実施の形態に係る自動販売機の商品表示装置を適用した自動販売機の斜視図である。
【図２】図１に示した商品表示装置の説明図であって、（ａ）は平面図、（ｂ）は正面図である。
【図３】図２のＩＩＩ−ＩＩＩ断面図である。
【図４】図２に示した駆動ユニットの説明図であって、（ａ）は平面図、（ｂ）は正面図、（ｃ）は左側面図である。
【図５】図２に示した従動ユニットの説明図であって、（ａ）は平面図、（ｂ）は正面図、（ｃ）は右側面図である。
【図６】図２に示した商品表示テープの概念図である。
【図７】自動販売機の商品表示装置のブロック図である。
【図８】本発明の実施の形態に係る自動販売機の商品表示装置の作用を示すフローチャートである。
【図９】形態１に係る周回許容手段を説明する駆動ユニットの説明図である。
【図１０】形態２に係る周回許容手段を説明する駆動ユニットの説明図である。
【図１１】形態３に係る周回許容手段を説明する従動ユニットの説明図である。
【図１２】形態４に係る周回許容手段を説明する従動ユニットの説明図である。
【符号の説明】
１          自動販売機
６          展示室
７          中扉
８ａ        商品展示部
９          透明板
１０          商品選択ボタン
１１          商品表示装置
１２          商品見本
１３          商品展示台
１３ｂ        商品見本取付孔
１３ｃ        表示窓
１３ｄ        商品表示ガイド
１４          商品表示テープ
１４ａ        噛合孔
１４ｂ        基準位置検出孔
１５          蛍光灯
１６          テープガイド
１７          商品表示パネル
２０，２０´  駆動プーリ
２０ａ，２０ａ´ツメ
２０ｂ        突起
２１          駆動ユニット
２２          駆動機構
２３          ケース
２４          カバー
２５          モータ
２５ａ        出力軸
２６          歯車列
２７          基準位置検出スイッチ
２８          回転検出スイッチ
２９          ガイドローラ
４０          従動プーリ
４１          従動ユニット
４２          ベース
４２ａ        長孔
４２ａ´      係止部
４３          プーリガイド
４４          プーリピン
４５          バネ
６０          制御部
６１          主制御部
７１          出力軸
７２          ワンウェイクラッチ
８１          モータ歯車
８２          第１遊歯車
８３          第２遊歯車
８４          第３遊歯車
８５          駆動歯車
８６          バネ
【図１】
2004234489.tif 000003
【図２】
2004234489.tif 000004
【図３】
2004234489.tif 000005
【図４】
2004234489.tif 000006
【図５】
2004234489.tif 000007
【図６】
2004234489.tif 000008
【図７】
2004234489.tif 000009
【図８】
2004234489.tif 000010
【図９】
2004234489.tif 000011
【図１０】
2004234489.tif 000012
【図１１】
2004234489.tif 000013
【図１２】
2004234489.tif 000014